(57)【要約】      （修正有）【課題】鳥獣の重みを受けて回転する鳥獣類排除具を改良し、より確実に鳥獣の排除が可能なものを提供する。【解決手段】架空線ｋが挿通される状態で、架空線ｋの長手方向に互いに間隔を隔てて配位された複数の環状部材と、これらの環状部材間に渡された複数のバー部材３とを備えた鳥獣類排除具において、これらの環状部材の中央部分には、上記の架空線ｋが回動可能に挿通される挿通穴１０を備え、これらの環状部材の周縁部分には、上記のバー部材３を支持する支持部が設けられ、上記のバー部材３には、多数の突起５が形成され、突起５に鳥獣の体重がかかった際に、この鳥獣類排除具が上記架空線を中心にして回動することにより、鳥獣を排除するようにして、鳥獣類排除具を構成する。【選択図】図１
0003150957.tif 000002
【実用新案登録請求の範囲】
【請求項１】
架空線が挿通される状態で、架空線の長手方向に互いに間隔を隔てて配位された複数の環状部材と、これらの環状部材間に渡された複数のバー部材とを備えた鳥獣類排除具において、
これらの環状部材の中央部分には、上記の架空線が回動可能に挿通される挿通穴を備え、
これらの環状部材の周縁部分には、上記のバー部材を支持する支持部が設けられ、
上記のバー部材には、多数の突起が形成され、
突起に鳥獣の体重がかかった際に、この鳥獣類排除具が上記架空線を中心にして回動することにより、鳥獣を排除するようにしたことを特徴とする鳥獣類排除具。
【請求項２】
各バー部材には、その軸芯から見て、少なくとも３方向に伸びる突起が設けられており、
この突起は、先端が基端よりも細い針状のものであることを特徴とする請求項１記載の鳥獣類排除具。
【請求項３】
各バー部材は、同一の形状及び寸法を備え、架空線の線芯から見て、輪になるように、間隔を開けて配列されたものであり、
針状の突起は、１本の中央針と２本の左右針とを一組として、複数組設けられており、
中央針は、バー部材の軸芯から見て左右針の間に配置されると共に、バー部材の軸方向に沿って、１本の中央針と２本の左右針とが等間隔に交互に設けられ、
バー部材の一端には中央針が配置され、バー部材の他の一端には左右針が配置されたものであり、中央針が環状部材の挿通穴から見て放射状に配置され、
環状部材の周縁部分の支持部に取り付けられた上記のバー部材について、隣り合うバー部材同士が、先端と後端とが逆向きに配置されることにより、両バー部材間において、一方のバー部材の左又は右針と、他の一方のバー部材の右又は左針とが、千鳥状に配位されたものであることを特徴とする請求項２記載の鳥獣類排除具。
【請求項４】
排除具の長手方向の前端或いは後端をなす環状部材の端面は、上記の挿通穴の周囲へ環状の突出部を備え、
環状部材は、半割に形成された環構成部材を組み合わせることによって、環状にされるものであり、
環状部材間に渡されたバー部材の軸方向について、バー部材の中間には、バー部材同士の間隔を保ち、架空線を挿通することができる環状の中間部材が設けられ、
中間部材は、半割に形成された第１及び第２の二つの部材を組み合わせることによって、環状にされるものであることを特徴とする請求項３記載の鳥獣類排除具。
【請求項５】
架空線に配列された複数の上記請求項３又は４に記載の鳥獣類排除具と、架空線に取り付けることができるクリップ状のストッパーとを備え、
複数の鳥獣類排除具は、夫々、架空線に対して、隣り合う排除具同士が回動可能に配列されたものであり、
ストッパーは、第１構成片と第１構成片に対して開閉自在に設けられた第２構成片とを備え、第１構成片と第２構成片にて架空線を挟むことにより、架空線に固定できるものであり、
ストッパーは、複数の排除具のうち、連続する２本以上の排除具群の前後において、架空線へ取り付けられたものであることを特徴とする鳥獣類排除構造。
【考案の詳細な説明】
【技術分野】
【０００１】
本願考案は、鳥獣類排除構造及びその鳥獣類排除具に関するものである。
【背景技術】
【０００２】
【特許文献１】特許第３９１９１９９号公報
【０００３】
配電線などの、架空線に鳥獣類が止まることを、防止する鳥獣類排除具として、例えば、上記特許文献１に見られる、鳥獣類排除具が提案されている。
この排除具は、架空線が挿通される状態で、架空線の長手方向へ互いに間隔を隔てて配位された複数の環状の支持部材５〜７と、これらの環状の支持部材の中央部分に渡された複数の複数の棒状連結部材と、鳥獣排除体として複数の線状体が棒状連結部材と共に、支持部材間に渡されている（特許文献１の図１、図１０）。
【０００４】
このような排除具は、飛来して架空線に止まろうとする鳥獣を、架空線を取り囲む上記の鳥獣排除体にて、阻むことができる。
また、このように棒状連結部材を用いるものは、筒状体などで、架空線を完全に覆うことに比べて、軽量化でき更に排除具に雨水などが溜まる危惧がない点で有利である。
【０００５】
しかし、このような排除具は、小型の鳥獣によっては、回転する線状体や棒状連結部材に触れずに、並行する線状体や棒状連結部材の間から、架空線に止まることができ、十分な鳥獣の排除ができないとの危惧があった。
【０００６】
本願考案は、上記の問題を鑑み、上記の鳥獣の重みを受けて回転する鳥獣類排除具を改良し、より確実に鳥獣の排除が可能な鳥獣類排除具の提供を図る。
【考案の開示】
【課題を解決するための手段】
【０００７】
本願の請求項１に係る考案は、架空線が挿通される状態で、架空線の長手方向に互いに間隔を隔てて配位された複数の環状部材と、これらの環状部材間に渡された複数のバー部材とを備えた鳥獣類排除具において、これらの環状部材の中央部分には、上記の架空線が回動可能に挿通される挿通穴を備え、これらの環状部材の周縁部分には、上記のバー部材を支持する支持部が設けられ、上記のバー部材には、多数の突起が形成され、突起に鳥獣の体重がかかった際に、この鳥獣類排除具が上記架空線を中心にして回動することにより、鳥獣を排除するようにしたことを特徴とする鳥獣類排除具を提供する。
【０００８】
本願の請求項２に係る考案は、上記本願の請求項１記載の考案にあって、各バー部材には、その軸芯から見て、少なくとも３方向に伸びる突起が設けられており、この突起は、先端が基端よりも細い針状のものであることを特徴とする鳥獣類排除具を提供する。
を提供する。
【０００９】
本願の請求項３に係る考案では、上記本願の請求項２記載の考案にあって、各バー部材は、同一の形状及び寸法を備え、架空線の線芯から見て、輪になるように、間隔を開けて配列されたものであり、針状の突起は、１本の中央針と２本の左右針とを一組として、複数組設けられており、中央針は、バー部材の軸芯から見て左右針の間に配置されると共に、バー部材の軸方向に沿って、１本の中央針と２本の左右針とが等間隔に交互に設けられ、バー部材の一端には中央針が配置され、バー部材の他の一端には左右針が配置されたものであり、中央針が環状部材の挿通穴から見て放射状に配置され、環状部材の周縁部分の支持部に取り付けられた上記のバー部材について、隣り合うバー部材同士が、先端と後端とが逆向きに配置されることにより、両バー部材間において、一方のバー部材の左又は右針と、他の一方のバー部材の右又は左針とが、千鳥状に配位されたことを特徴とする鳥獣類排除具を提供する。
【００１０】
本願の請求項４に係る考案では、上記本願の請求項３記載の考案にあって、排除具の長手方向の前端或いは後端をなす環状部材の端面は、上記の挿通穴の周囲へ環状の突出部を備え、環状部材は、半割に形成された環構成部材を組み合わせることによって、環状にされるものであり、環状部材間に渡されたバー部材の軸方向について、バー部材の中間には、バー部材同士の間隔を保ち、架空線を挿通することができる環状の中間部材が設けられ、中間部材は、半割に形成された第１及び第２の二つの部材を組み合わせることによって、環状にされるものであることを特徴とする鳥獣類排除具を提供する。
【００１１】
本願の請求項５に係る考案は、架空線に配列された複数の上記請求項３又は４に記載の鳥獣類排除具と、架空線に取り付けることができるクリップ状のストッパーとを備え、複数の鳥獣類排除具は、夫々、架空線に対して、隣り合う排除具同士が回転可能に配列されたものであり、ストッパーは、第１構成片と第１構成片に対して開閉自在に設けられた第２構成片とを備え、第１構成片と第２構成片にて架空線を挟むことにより、架空線に固定できるものであり、ストッパーは、複数の排除具のうち、連続する２本以上の排除具群の前後において、架空線へ取り付けられたことを特徴とする鳥獣類排除構造を提供する。
【考案の効果】
【００１２】
本願の請求項１〜５の考案に係る鳥獣類排除具は、バー部材に止まろうとする鳥獣の重みにて回転し、鳥獣を止まらせないようにしたものであって、特に、バー部材に突起を設けることによって、並行するバー部材間の空間を遮り、バー部材間から、鳥獣が侵入して架空線に止まるといった事態を抑制した。
本願の請求項２〜５の考案に係る鳥獣類排除具は、少なくとも３方向に伸びる突起を備えることにより、より確実に、バー部材間への侵入を遮ることができる。
更に、突起を先端が基端よりも細い針状とすることにより、接触すれば、違和感を与えて、鳥獣の接近をより一層抑制することができる。
特に、本願の請求項３〜５の考案に係る鳥獣類排除具は、針状の突起が、千鳥状に配置されることにより、バー部材間への侵入をより困難なものとした。特に、バー部材の全てを同一の形状・寸法のもので、上記の千鳥状の配列を可能として、構成部品の種類を低減し、製造コストの低下に功を奏する。
また、本願の請求項４の考案は、架空線へ鳥獣類排除具を容易に取り付けることができる具体的手段を提供したものであり、特に、環状の突出部にて、架空線に複数の当該排除具を配置した場合に、隣り合う排除具との接触を、環状の突出部が一手に担い、排除具の端面全体が、隣接する排除具の端面と接触することを回避し、当該接触による摩擦抵抗を減らして、鳥獣が止まろうとした際の回転をより円滑に行うことができる。
【考案を実施するための最良の形態】
【００１３】
以下、図面に基づき本願考案の実施の形態を説明する。
図１乃至図５へ、本願考案の一実施の形態を示す。
図１（Ａ）は本願考案に係る鳥獣類排除具の略側面図であり、図１（Ｂ）はその正面図であり、図１（Ｃ）はその要部分解正面図であり、図１（Ｄ）は当該要部の組み立て途中の状態を示す正面図である。図２（Ａ）は図１（Ｃ）の要部正面図であり、図２（Ｂ）（Ｈ）はその側面図であり、図２（Ｃ）は図１（Ｃ）の要部正面図であり、図２（Ｄ）（Ｉ）はその側面図であり、図２（Ｅ）は図１（Ａ）の環状の中間部材の平面図であり、図２（Ｆ）はその正面図であり、図２（Ｇ）は図１（Ａ）の環状の中間部材の正面図である。図３（Ａ）は図１（Ａ）の排除具のバー部材の平面図であり、図３（Ｂ）はその側面図であり、図３（Ｃ）は図３（Ｂ）のＸ−Ｘ拡大断面図であり、図３（Ｄ）は図３（Ｂ）の一部切欠要部拡大図である。図４（Ａ）はこの排除具が有する別体に形成されたストッパーの開いた状態を示す正面図であり、図４（Ｂ）は当該ストッパーの閉じた状態を示す正面図であり、図４（Ｃ）は当該ストッパーの側面図である。図５は、ストッパーを併設したこの排除具の使用状態を示す側面図である。
尚、説明の便宜上、Ｆは排除具の前方を、Ｂは排除具の後方を示し、このＦ−Ｂは、架空線の長手方向と一致するものとする。
【００１４】
図１（Ａ）へ示す通り、この鳥獣類排除具１００は、先端側環状部材１と、後端側環状部材２と、両環状部材１，２間に渡される複数のバー部材３…３と、中間部材４とを備える。
以下各部の構成について、順に詳述する。
【００１５】
先端環状部材１と後端環状部材２との間に、上記のバー部材３…３が介されることにより、両環状部材１，２は、架空線ｋが挿通される状態で架空線ｋの長手方向に互いに間隔を隔てて配位されている。
この先端環状部材１及び後端環状部材２は、同様の構成を採るので、先端環状部材１を代表として、環状部材１とし、より具体的に説明する。
環状部材１は、図１（Ｂ）へ示す通り、架空線ｋの外径よりも、大きな内径を備えた挿通穴１０を中央部分に備え、当該挿通穴１０に、架空線ｋが遊嵌されることにより、架空線ｋを中心にして回動することができる。挿通穴１０は、架空線ｋの直径の２倍以上の内径を有するものとするのが好ましい。
【００１６】
環状部材１の周縁部には、バー部材３…３を支持する複数の支持部１３…１３が設けられている。支持部１３…１３の夫々は、前後に貫通する装着孔１４を備える。この装着孔１４に、バー部材３の中央針５ｂを環状部材１の挿通穴１０から放射状に配置するよう、バー部材３の端部５１が嵌められ、環状部材１にバー部材３が固定される。この実施の形態において、支持部１３…１３は、図１（Ｂ）へ示す通り、環状部材１の周縁部に、６個、等間隔を開けて設けられている。但し、このような数は、取り付けるバー部材３の数に応じて、変更可能であり、支持部１３を、４個としても、８個以上の偶数個としても実施できる。
【００１７】
排除具の前端或いは後端をなす環状部材１の端面には、上記挿通穴１０の周囲に環状の突出部１５が設けられている。
この環状の突出部１５によって、架空線ｋに複数の排除具を装着した際に、隣り合う排除具の環状部材１同士の接触面積を低減し、排除具の円滑な回転を可能とする。
【００１８】
この実施の形態において、環状部材１は、図２（Ａ）（Ｂ）（Ｈ）へ示す円筒を半割状にした環構成第１部材１１と、図２（Ｃ）（Ｄ）（Ｉ）へ示す円筒を半割状にした環構成第２部材１２とにて構成される。図２（Ａ）（Ｂ）（Ｈ）及び図２（Ｃ）（Ｄ）（Ｉ）は、バー部材３…３が取り付けられる前の、各環構成部材を示している。
両環構成部材１１，１２を組み合わせることによって、中空部分（挿通穴１０）に、架空線ｋが挿通可能な環状部材１が形成される。
詳しくは、弧状の環構成第２部材１２の一端には、前後に突出する小突起１６ａ，１６ａを備えた挿入部１６が設けられている。環構成第１部材１１には、上記挿入部１６と対応する位置に、当該挿入部１６を挿入する受容部１７が設けられている。受容部１７は、前後２枚の小片にて形成され、両小片の間に設けられた隙間に、挿入部１６を収容する。当該小片の夫々には、挿入部１６挿入の際に上記小突起１６ａ，１６ａを案内し受容する切欠部１７ａ，１７ａが設けられている。弧状の環構成第１部材１１の他の一端は、前後に突出する小突起１９ａ，１９ａを備えた挿入片１９が設けられている。環構成第２部材１２には、上記小突起１９ａ，１９ａを備えた挿入片１９と対応する位置に、当該挿入片１９を挿入する受容凹部１８が設けられている。受容凹部１８は、前後２枚の小片にて形成され、両小片の間に設けられた隙間に、挿入片１９を収容する。受容凹部１８には、この挿入片１９の受容凹部１８への収容により、挿入片１９の小突起１９ａ，１９ａを受容する、受孔１８ａ，１８ａが設けられている。
【００１９】
図１（Ｃ）へ示す通り、バー部材３…３を装着孔１４へ取り付けた後、図１（Ｄ）へ示す通り挿入部１６を受容部１７へ挿入し、小突起１６ａ，１６ａを中心として環構成第１部材１１を回転させて、挿入片１９を受容凹部１８へ挿入し、小突起１９ａと受孔１８ａに嵌め合わせ、図１（Ｂ）へ示すように、環構成第１部材１１を環構成第２部材１２へ固定し、環状部材１を形成する。
尚、環状部材１は、上述の半割状の２つの環構成部材１１，１２に分割形成されたものを組み合わせて形成するものに限定するものではなく、当初より１つの環として形成され、架空線ｋの端部から通されるものとしても実施できる。また、３つ以上の環構成部材を組み合わせることによって、１つの環状部材１を形成するものとしても実施できる。
【００２０】
バー部材３は、バー状の部材、即ち棒状の部材である。バー部材３…３は、環状部材間へ偶数本、平行に渡される。
図１（Ａ）（Ｂ）へ示す通り、この実施の形態では、排除具は、同一のバー部材３を、６本備える(図１（Ａ）では、そのうち２本は手前のバー部材３に隠れて見えない)。環状部材の前記装着孔１４…１４は、挿通穴１０の周囲に、等間隔を開けて輪（円）をなすよう配列されている。従って、当該装着孔１４…１４へ装着されたバー部材３…３は、図１（Ｂ）へ示す通り、架空線の線芯から見て、６本のバー部材３…３は、等間隔を開けて輪をなすように配列されている。
当該輪（円）自体は図示しないが、その直径は、５〜１０ｃｍとするのが好ましく、６〜８ｃｍとするのがより好ましく、特に７ｃｍとするのが好ましい。但しこのような数値は変更可能である。
個々のバー部材３の直径は、３ｍｍ〜１０ｍｍとするのが好ましく、５ｍｍ前後、特に４．５ｍｍとするのが好ましい。また、バー部材３の長さは、２０ｃｍ〜１００ｃｍとするのが好ましく、３０ｃｍ〜８０ｃｍとするのがより好ましく、特に４０ｃｍ〜６０ｃｍとするのが好ましく、約５０ｃｍとするのが最も好ましい。但しこのような数値は変更可能である。特に、後述する中間部材の数を変更することによって、バー部材３の長さを上記よりも更に長いものとすることができる。
バー部材３の数は、６本に限定するものではなく、４本或いは８本以上の偶数本でも実施可能である。
図３に、図１（Ａ）の最上部に位置するバー部材３（３ａ）を代表として示す。
バー部材３の夫々には、図１及び図３（Ａ）（Ｂ）へ示す通り、複数の突起５…５が設けられている。この突起に鳥獣の体重がかかった際に、この鳥獣類排除具が上記架空線を中心にして回動する。
具体的には、各バー部材３には、バー部材３の軸芯から見て、少なくとも３方向に伸びる突起５ａ，５ｂ，５ｃが設けられており、この突起５ａ，５ｂ，５ｃは、先端が基端よりも細い針状のものである。
【００２１】
詳しくは、針状の突起５…５は、１本の中央針５ｂと２本の左右針５ａ，５ｃとを一組として（図３（Ｃ）（Ｄ））、複数組設けられており（図３（Ａ）（Ｂ））、中央針５ｂは、バー部材３の軸芯から見て左右針５ａ，５ｃの間に配置されると共に、バー部材３の軸方向に沿って、１本の上記中央針５ｂと２本の左右針５ａ，５ｃとが等間隔に交互に設けられることにより、上記３方向の針の組が等間隔に設けられたものである。そして、図３（Ａ）（Ｂ）へ示す通り、バー部材３の一端（先端）には中央針が配置され、バー部材３の他の一端（後端）には左右針５ａ，５ｃが配置されたものである。
そして、隣接するバー部材３，３同士は、その向きが前後反対となるように環状部材へ取り付けられる。これによって、隣接する両バー部材間において、一方のバー部材の左又は右針と、他の一方のバー部材の右又は左針とが、千鳥状に配位されたものである（図１（Ａ））。
例えば、排除具を正面視した状態において、上記最上部のバー部材３ａと、当該バー部材３ａの右隣に位置するバー部材３とについて見れば、当該右隣のバー部材３の左針５ａと最上部のバー部材３ａの右針５ｃとが、両バー部材３，３ａ間において、千鳥状に配位するものである。即ち、排除具を正面視した状態において、手前に当該右隣のバー部材３の左針５ａ、その後ろに最上部のバー部材３ａの右針５ｃ、更にその後ろに当該右隣のバー部材３の左針５ａと、両バー部材３ａ，３の左右の針５ａ，５ｃが、千鳥状に配列される。
図３（Ａ）（Ｂ）へ示すように、中央針５ｂと２本の左右針５ａ，５ｃは、バー部材３の軸方向と直角に設けられ、且つ、図３（Ｃ）へ示すように、バー部材３の軸芯から見た状態において、左針５ａと中央針５ｂとがなす角度、及び、中央針５ｂと右針５ｃとがなす角度は、夫々直角である。
但し、左針５ａと中央針５ｂとがなす角度、及び、中央針５ｂと右針５ｃとがなす角度は、夫々６０〜１００度の範囲にて上記直角以外の角度を採るものとしても実施できる。
前述の通り、架空線の線芯から見て（図１（Ｂ））、バー部材３…３は、輪をなすように配置されており、各バー部材３…３から中央針５ｂ…５ｂが放射状に突き出るよう各バー部材３…３外周の向きが決められる。
各突起５（中央針５ｂ、左右針５ａ，５ｃ）は、夫々、１．５ｃｍ〜４ｃｍの長さを有するのが好ましく、特に、２ｃｍとするのが好ましい。但し、このような数値は、変更可能であり、バー部材３が配列された上記円周の直径や、バー部材３の本数によって、排除の対象となる鳥獣が侵入しにくい寸法に設定すればよい。各突起５の基端の直径は、２ｍｍ〜８ｍｍとするのが好ましく、特に３ｍｍとするのが好ましい。
そして、バー部材の軸方向について、１組の中央針５ｂと左右針５ａ，５ｃとの（先端間の）間隔は、１ｃｍ〜２ｃｍとするのが好ましく、１．５ｃｍ前後、特に１．６ｃｍとするのが好ましい。
また、バー部材の軸方向について、隣り合う中央針５ｂ，５ｂ間の（先端間の）間隔は、２〜４ｃｍとするのが好ましく、３ｃｍ前後、特に３．２ｃｍとするのが好ましい。但し、排除の対象となる鳥獣類によっては、上記の間隔を他の数値に変更して実施すればよい。
【００２２】
上記において、三方向へ伸びる針状の突起の組を複数備えるものとしたが、二方向に伸びる或いは４方向に伸びる突起の組を複数備えるものとしても、実施できる。
但し、上記三方向へ伸びるものが理想的である。
【００２３】
図１（Ａ）へ示す通り、中間部材４は、バー部材３…３の軸方向の中間に設けられる。但し、バー部材３の長さによっては、一つの排除具について、２個以上の中間部材４を設けるものとしても実施できる。
詳しくは、中間部材４は、前後両端に配置される環状部材１，２の間に配置されて、バー部材３…３を保持する環状体であり、並列するバー部材３…３間の間隔を維持するものである。環状の中間部材４の中穴に、架空線ｋが通される。この中穴も、環状部材１，２の挿通穴１０と同様、架空線ｋの直径の２倍以上の内径を有するのが好ましい。この実施の形態において、図３（Ａ）〜（Ｄ）に示す通り、バー部材３…３は、夫々その両端から中間の位置に、バー部材３の側方へ突出する係合突起５０が設けられている。
そして、上記中間部材４の周縁には、図１（Ａ）へ示す通り、当該係合突起５０と対応する位置に、複数の凸部４３…４３が放射状に設けられており、当該凸部４３には、係合突起５０を装着することができる受穴４３ａ（図２（Ｅ）〜（Ｇ））が設けられている。
より具体的には、環状の中間部材７は、図２（Ｅ）（Ｆ）へ示す円筒を半割状にした第１部材４１と、図２（Ｇ）へ示す同じく円筒を半割状にした第２部材４２とを組み合わせることによって、形成される。第１部材４１が呈する弧の一端に、凸状部４６を有する第１舌片４４が設けられ、第２部材４２は当該第１舌片４４と対応する端部に、嵌め穴４７を有する第２舌片４５が設けられている。凸状部４６を嵌め穴４７へ嵌めて、図３（Ａ）〜図３（Ｄ）へ示す状態のバー部材３の係合突起５０を、図２（Ｅ）〜（Ｇ）へ示す受穴４３ａへ嵌める。環状部材を図１（Ｂ）へ示す環状とすることにより、第１部材４１と第２部材４２とが合わされて環状の中間部材４を形成する。
尚、バー部材３の寸法によっては、中間部材４を設けずに実施することも可能である。
【００２４】
鳥獣類排除具１００は、図５へ示す通り、架空線ｋに対して、複数本連続して装着されるものであり、隣り合う鳥獣類排除具１００，１００間のうち、複数本おきに、架空線ｋに固定されるクリップ状のストッパー７を備える。
ストッパー７は、図４（Ａ）〜（Ｃ）ヘ示す通り、第１及び第２の、２つの構成片７１，７２にて構成されている。第１構成片７１の一端は、取り付け部７０にて、第２構成片７２の一端へ開閉自在に取り付けられている。当該取り付け部７０を中心として、両構成片７１，７２の他の一端側を握り７３，７４として、ストッパー７を開閉することができる。両構成片７１，７２の取り付け部７０と夫々の握り７３，７４との間に、架空線ｋを挟持する挟持部７５，７５が設けられている。挟持部７５，７５は、ゴム或いは発泡ウレタンといった弾力性を有する素材にて形成されており、ストッパー７を閉じることによって、架空線ｋを挟みこむことができる穴を構成する、円弧状に左右に交代する凹部７５ａ，７５ａが設けられている。
また、第２構成片７２は、鉤部７７を備えた係合片７６が設けられており、第１構成片７１には、係合片７６を通し、鉤部７７と係合する鉤掛部７９を備えた挿通口７８が設けられている。架空線ｋを挟んでストッパー７を閉じた際、図４（Ｂ）へ示す通り、鉤掛部７９に鉤部７７が係合し、ストッパー７は閉じた状態を維持する。このようにして、図５へ示すように、ストッパー７は、鳥獣類排除具１００複数本毎に、隣接する当該鳥獣類排除具１００，１００間へ配置され、架空線ｋに対して鳥獣類排除具１００…１００の位置がずれないようにすることができる。
図５において、鳥獣類排除具１本おきにストッパー７を設けるものを示したが、２本おきとしても、３本おきとしてもよく、更に多くの本数をおいて、ストッパーを設けるものとしてもよい。
【図面の簡単な説明】
【００２５】
【図１】（Ａ）は本願考案に係る鳥獣類排除具の略側面図であり、（Ｂ）はその正面図であり、図１（Ｃ）はその要部分解正面図であり、図１（Ｄ）は当該要部の組み立て途中の状態を示す正面図である。
【図２】（Ａ）は図１（Ｃ）の要部正面図であり、（Ｂ）及び（Ｈ）はその側面図であり、（Ｃ）は図１（Ｃ）の要部正面図であり、（Ｄ）及び（Ｉ）はその側面図であり、（Ｅ）は図１（Ａ）の中間部材の平面図であり、（Ｆ）はその正面図であり、（Ｇ）は図１（Ａ）の中間部材の正面図である。
【図３】（Ａ）は図１（Ａ）の排除具のバー部材の平面図であり、（Ｂ）はその側面図であり、（Ｃ）は（Ａ）のＸ−Ｘ拡大断面図であり、（Ｄ）は（Ａ）の一部切欠要部拡大図である。
【図４】（Ａ）はこの排除具が有する別体に形成されたストッパーの開いた状態を示す正面図であり、（Ｂ）は当該ストッパーの閉じた状態を示す正面図であり、（Ｃ）は当該ストッパーの側面図である。
【図５】図５は、ストッパーを併設したこの排除具の使用状態を示す側面図である。
【符号の説明】
【００２６】
１    環状部材
２    環状部材
３    バー部材
４    中間部材
５    突起
【図１】
0003150957.tif 000003
【図２】
0003150957.tif 000004
【図３】
0003150957.tif 000005
【図４】
0003150957.tif 000006
【図５】
0003150957.tif 000007